(57)【要約】【課題】  ユーザが所望する情報とその取得日時を指定して自動的に携帯端末に取得できるスケジュール機能付き携帯端末を取得する。【解決手段】  インターネットへの接続先および接続時刻を含むスケジュール情報を格納するデータ記憶部２２と、接続時刻になると接続先を読み出して、インターネット接続機能を利用して当該接続先に接続させる動作指示部２３と、接続後に、前記接続先が提供する提供データを受信する通信制御部１３とを備える。【選択図】      図２
2007004539.tif 000002
【特許請求の範囲】
【請求項１】
ユーザが所望するスケジュールを登録するスケジュール機能と、インターネット接続機能とを備えたスケジュール機能付き携帯端末であって、
インターネットへの接続先および接続時刻を含むスケジュール情報を格納するデータ記憶手段と、
前記接続時刻になると前記接続先を読み出して、前記インターネット接続機能を利用して当該接続先に接続させる制御手段と、
前記接続後に、前記接続先が提供する提供データを受信する受信手段とを備えたことを特徴とするスケジュール機能付き携帯端末。
【請求項２】
前記制御手段は、所定時間の経過ごとに現在時刻を受け取り、前記データ記憶手段からスケジュール情報の接続時刻を読み出して前記現在時刻と比較し、両時刻が一致する場合は、さらにその接続先を読み出して、前記インターネット接続機能を利用して当該接続先に接続させることを特徴とする請求項１記載のスケジュール機能付き携帯端末。
【請求項３】
前記制御手段は、受信した前記提供データを前記データ記憶手段に保存することを特徴とする請求項１または請求項２記載のスケジュール機能付き携帯端末。
【請求項４】
さらにインタフェース手段を含み、前記インタフェース手段は、インターネットへの接続先および接続時刻を含むスケジュール情報の登録指示を受け付けることを特徴とする請求項１または請求項２記載のスケジュール機能付き携帯端末。
【請求項５】
前記データ記憶手段は、受信した提供データを前記スケジュール情報と関連付けて格納することを特徴とする請求項３記載のスケジュール機能付き携帯端末。
【請求項６】
さらに表示手段を含み、前記表示手段は、受信した前記提供データを表示することを特徴とする請求項３記載のスケジュール機能付き携帯端末。
【請求項７】
前記制御手段は、所定の指示を受けると、前記データ記憶手段から前記提供データを読み出して前記表示手段に表示することを特徴とする請求項６記載のスケジュール機能付き携帯端末。
【請求項８】
ユーザが所望するスケジュールを登録するスケジュール機能を備えた携帯端末からインターネットに接続するインターネット接続方法であって、
インターネットへの接続先および接続時刻を含むスケジュール情報を格納し、
前記接続時刻になると前記接続先を読み出して、前記インターネット接続機能を利用して当該接続先に接続させ、
前記接続後に、前記接続先が提供する提供データを受信することを特徴とするインターネット接続方法。
【請求項９】
所定時間の経過ごとに現在時刻を受け取り、スケジュール情報の接続時刻を読み出して前記現在時刻と比較し、両時刻が一致する場合は、さらにその接続先を読み出して、その接続先に接続することを特徴とする請求項８記載のインターネット接続方法。
【請求項１０】
受信した前記提供データを保存することを特徴とする請求項８または請求項９記載のインターネット接続方法。
【請求項１１】
受信した前記提供データを前記スケジュール情報と関連付けて保存することを特徴とする請求項１０記載のインターネット接続方法。
【発明の詳細な説明】
【技術分野】
【０００１】
本発明は、インターネット接続可能なブラウザ機能を有する携帯端末のスケジュール機能を利用して、インターネット上の情報を取得するスケジュール機能付き携帯端末およびインターネット接続方法に関する。
【背景技術】
【０００２】
近年の携帯端末は通常ブラウザ機能を有しており、このブラウザ機能を利用してユーザがインターネット上のホームページにアクセスし、情報を入手することが可能である。また最近では、ユーザが所望する情報を提供するホームページに電子メールアドレスを登録すると、自動的それらの情報を含む電子メールを配信してくれる情報配信サービスも実施されている。このサービスを利用すれば、ユーザは携帯端末を操作してホームページにアクセスしなくてもリアルタイムな情報の入手が可能である。しかし、欲しい情報の自動配信サービスが行われていない場合はユーザが携帯端末を操作してホームページを閲覧しなければならないので、手間と時間がかかるという問題がある。また、情報配信サービスが行われていても、それを受けるためには電子メールアドレスをインターネット上のホームページに登録しなければならないので、他人に電子メールアドレスを公開することになり、悪用される可能性があり危険である。
【０００３】
上記のような問題に対処するために、例えば特許文献１に開示される発明がある。特許文献１に開示されるデータ配信システムは、データ受信端末が受信すべきデータを制御するデータ配信制御センターと、データ受信端末にデータを配信するデータ配信センターとを備えており、以下のように動作する。すなわち、データ配信制御センターは、データ受信端末が受信すべきデータとデータ受信端末に公開する公開日時を決定し、データ識別情報と相手先情報と公開日時とから、データ受信端末においてデータを受信するために必要なデータ受信情報を生成して送出し、データ配信センターは、データ受信端末からのデータ配信要求に従いデータを配信する。データ受信端末は、受信したデータ受信情報を使って公開日時以降になった時に相手先情報で特定されるデータ配信センターに対し、データ識別情報で特定されるデータの配信を要求する。
【０００４】
【特許文献１】特開２００３−２２３３８５号
【発明の開示】
【発明が解決しようとする課題】
【０００５】
しかしながら、特許文献１に開示される発明では、データ配信制御センターが、データ受信端末が受信すべきデータおよびデータ受信端末に公開する公開日時を決定して、データ受信情報を生成してデータ受信端末に送出しているので、ユーザがデータ受信端末を操作して自身が欲しい情報とその取得日時を指定することができないという課題があった。
【０００６】
本発明は、上記の課題を解決するためになされたものであり、ユーザが所望する情報とその取得日時を指定して自動的に携帯端末に取得できるスケジュール機能付き携帯端末およびインターネット接続方法を取得することを目的とする。
【課題を解決するための手段】
【０００７】
本発明の構成は、ユーザが所望するスケジュールを登録するスケジュール機能と、インターネット接続機能とを備えたスケジュール機能付き携帯端末であって、インターネットへの接続先および接続時刻を含むスケジュール情報を格納するデータ記憶手段と、接続時刻になると接続先を読み出して、インターネット接続機能を利用してその接続先に接続させる制御手段と、接続後に、接続先が提供する提供データを受信する受信手段とを備えたことを特徴とする。
【０００８】
具体的には、制御手段は、所定時間の経過ごとに現在時刻を受け取り、データ記憶手段からスケジュール情報の接続時刻を読み出して現在時刻と比較し、両時刻が一致する場合は、さらにその接続先を読み出して、インターネット接続機能を利用して当該接続先に接続させることができる。また、制御手段は、受信した提供データをデータ記憶手段に保存することができる。また、さらにインタフェース手段を含み、インタフェース手段は、インターネットへの接続先および接続時刻を含むスケジュール情報の登録指示を受け付けることができる。
【０００９】
また、データ記憶手段は、受信した提供データをスケジュール情報と関連付けて格納することができる。また、さらに表示手段を含み、表示手段は、受信した提供データを表示することができる。また、制御手段は、所定の指示を受けると、データ記憶手段から提供データを読み出して表示手段に表示することができる。
【００１０】
本発明の構成は、ユーザが所望するスケジュールを登録するスケジュール機能を備えた携帯端末からインターネットに接続するインターネット接続方法であって、インターネットへの接続先および接続時刻を含むスケジュール情報を格納し、接続時刻になると接続先を読み出して、インターネット接続機能を利用して当該接続先に接続させ、接続後に、接続先が提供する提供データを受信することを特徴とする。
【発明の効果】
【００１１】
以上説明したように、本発明によれば、データ記憶手段が、インターネットへの接続先および接続時刻を含むスケジュール情報を格納し、制御手段が、接続時刻になると接続先を読み出して、インターネット接続機能を利用してその接続先に接続させ、受信手段が、接続後に、接続先が提供する提供データを受信する。これにより、電子メールアドレスをインターネット上のホームページに登録することなく、ユーザが指定した情報を指定した時間に取得することができる効果がある。
【発明を実施するための最良の形態】
【００１２】
次に図面を参照して本発明の実施形態を説明する。図１は本発明によるスケジュール機能付き携帯端末のハードウェア構成図である。図に示すように、スケジュール機能付き携帯端末は、無線部１０１、制御部１０２、表示部１０３、操作部１０４、ＲＡＭ１０５、ＲＯＭ１０６、電源管理部１０７、バイブレータ１０８、ＬＥＤ１０９、スピーカ１１０、マイク１１１、レシーバ１１２、不揮発メモリ１１３を備える。
【００１３】
無線部１０１は、アンテナを介して送受信の管理、位置情報の検出等を行う。制御部１０２は、ＲＯＭ１０６に記憶されたプログラムに従って、ＲＡＭ１０５、不揮発メモリ１１３を利用して各種制御を行う。例えば、操作部１０４から入力された内容に応じて表示部１０３に各種メニューを表示したり、ユーザが保存した各種データを表示部１０３に表示したりする。また、制御部１０２は、音声着信時、メール受信時には表示部１０３、バイブレータ１０８、ＬＥＤ（Light Emitting Diode）１０９、スピーカ１１０を制御してメールの着信があったことをユーザに伝える機能等も有する。また本発明のスケジュール機能付き携帯端末は、マイク１１１、レシーバ１１２を搭載し、通常の携帯端末としての音声通信も可能である。電源管理部１０７は、各ハードウェアモジュールの電源の管理、充電器の状態監視、および充電動作を行う。
【００１４】
図２は本発明によるスケジュール機能付き携帯端末の制御部１０２の具体的な構成および当該携帯端末が保持するスケジュールアプリケーションの構成を示すブロック図である。制御部１０２とスケジュールアプリケーションとの間の動作は、当該携帯端末のソフトウェアおよびハードウェア全体を管理するＯＳ（Operating System）が制御する。
【００１５】
図に示すように、制御部１０２は、キー入力検出部１１、表示制御部（表示手段）１２、通信制御部（受信手段）１３、タイマー部１４、鳴動制御部１５を備える。キー入力検出部１１は、携帯端末の操作部１０４がユーザにより操作されたことを検出する。表示制御部１２は、表示部１０３へのデータ表示、ＬＥＤへの警告表示等を行う。通信制御部１３は、インターネット接続機能を有し、指定された接続先への接続および接続先のデータの受信を行う。タイマー部１４は、時計機能を有し、所定時間ごとの経過を検出する。鳴動制御部１５は、スピーカ１１０からアラーム音を発生させたり、バイブレータ１０８を振動させたりして、ユーザに対するアラーム通知を制御する。
【００１６】
次に、スケジュールアプリケーションの構成について説明する。スケジュールアプリケーションはカレンダー機能を備え、ユーザが登録した行事、記念日等のスケジュールの保存、表示等を行うソフトウエアであり、従来から存在する。本発明は、このスケジュールアプリケーションにインターネット接続機能を連動させることを特徴とする。すなわち、行事、記念日等のスケジュールの他にインターネット接続スケジュールの登録を行う。
【００１７】
本発明による携帯端末のスケジュールアプリケーションは、表示画面作成部（インタフェース手段）２１、データ記憶部（データ記憶手段）２２、動作指示部（制御手段）２３を備える。表示画面作成部２１は、ユーザから操作部１０４に入力された指示に応じて、スケジュール情報の受け付けおよび表示部１０３への表示画面の作成、編集を行う。データ記憶部２２は、ユーザから入力された情報、インターネットから受信したデータ（提供データ）等を記憶する。これは図１のＲＡＭ１０５と同一であっても別であってもよい。動作指示部２３は、データ記憶部２２に記憶される内容に従って、インターネットへの接続指示、表示画面の作成指示等を出す。
【００１８】
次に、スケジュールアプリケーションの起動時の動作について説明する。まず、ユーザは操作部１０４を操作してスケジュールアプリケーションの起動指示を出す。キー入力検出部１１は、スケジュールアプリケーションの起動指示が入力されたことを検出すると、表示画面作成部２１に起動時の表示画面を作成させる。表示画面作成部２１は、指示に応じてカレンダー表示とスケジュールのリスト表示を行う。
【００１９】
図３は、表示画面作成部２１が作成する表示部１０３への表示画面を説明する図である。図３の（ａ）は、スケジュールアプリケーションの起動時に、表示画面作成部２１が作成し表示制御部１２により表示部１０３に表示される画面を示す。図に示すように、カレンダー表示とカーソルがあたっている日のスケジュールリストの表示をする。初期状態では、カーソルは現在日付を指すようにしてよい。ここでは、２００６年１月のカレンダーと３０日のスケジュールリストを表示している。さらに、「新規」、「詳細」、「ＭＥＮＵ」の各ボタンを表示する。
【００２０】
表示画面作成部２１は、表示画面作成時にデータ記憶部２２を読み出してスケジュールリストを表示する。図４は、データ記憶部２２に格納されるデータ構成を示す図であり、図４（ａ）はメインデータ、図４（ｂ）は詳細データである。図に示すように、データ記憶部２２は、メインデータとして「日付」、「カテゴリ」、「メモまたは接続先」、「日付時刻」、「アラーム通知」の各項目を有する。「日付」とは、そのスケジュールが組まれている日付を示す。「カテゴリ」とは、スケジュール内容の区分であり、「ＨＰ取得予定」／「ＨＰ取得済」／「スケジュール」／「休日」／「記念日」がある。「メモまたは接続先」とはスケジュールの内容説明、またはインターネットの接続先を示す。「日付時刻」とは、カテゴリに応じてユーザにスケジュール表示を行ったり、インターネット接続を行ったりする日付時刻である。「アラーム通知」は、「する」／「しない」の区分があり、アラーム音を発生させるか否かを示す。また、図４（ｂ）の「詳細」とは、インターネットに接続して取得したインターネットの提供データである。
【００２１】
ここで、「カテゴリ」の「ＨＰ取得予定」、「ＨＰ取得済」について説明する。上述したように、本発明ではスケジュールアプリケーションからインターネットへの接続を可能としている。「ＨＰ取得予定」とは、その「日付時刻」欄に記載の時にインターネットに自動的に接続して指定されたホームページの内容を取得することを意味し、「ＨＰ取得済」とは、指定されたホームページの内容をすでに取得完了したことを意味する。
【００２２】
表示画面作成部２１は、キー入力検出部１１から起動時の表示画面の作成指示を受けると、データ記憶部２２からカーソルが指す日付、例えば現在日付のデータを読み出して、図３の（ａ）のようにリスト表示する。ここでは２００６年１月３０日のスケジュールリストを表示しており、朝読新聞のホームページを取得済み、定例会議が１０：００、店頭打合が１５：００、また結婚記念日であることを示す。
＜スケジュール登録＞
次に、上記のようなスケジュールを登録する動作について説明する。スケジュールを登録する場合、ユーザは「新規」ボタンに対応するキーを操作部１０４に入力する。キー入力検出部１１はそれ検出すると、新規登録の旨を表示画面作成部２１に通知する。表示画面作成部２１は通知に応じてスケジュールの新規登録画面を表示する。図３の（ｂ）は、表示画面作成部２１が作成したスケジュールの新規登録画面を示す。ここではインターネット接続スケジュールの登録画面を示す。図に示すように、カテゴリ、接続先、日付時刻、アラーム通知、メモの各項目の登録画面を表示する。
【００２３】
続いて、図３の（ｂ）においてユーザが「カテゴリ」を選択すると、キー入力検出部１１がそれを検出して表示画面作成部２１にカテゴリ選択画面の作成指示を出す。表示画面作成部２１は指示に応じてカテゴリ選択画面を作成し、表示制御部１２から表示部１０３に表示する。図３の（ｃ）はカテゴリ選択画面を示す。図に示すように、カテゴリの候補として［１］スケジュール設定、［２］休日設定、［３］記念日設定、［４］インターネット接続を表示する。
【００２４】
この画面から、ユーザが例えば［４］インターネット接続を選択すると、キー入力検出部１１はそれを検出して表示画面作成部２１に接続先指定画面の作成指示を出す。表示画面作成部２１は、図３の（ｄ）に示すような接続先指定画面を作成し、表示制御部１２から表示部１０３に表示させる。図に示すように、表示画面作成部２１は接続先の候補として、［１］接続先ＵＲＬ入力、［２］ブックマークから選択を表示する。
【００２５】
続いて、この画面からユーザが［１］接続先ＵＲＬ入力を選択した場合、キー入力検出部１１はそれを検出して、表示画面作成部２１に接続先ＵＲＬ入力用画面を表示させる。表示画面作成部２１は、図３の（ｅ）に示すような接続先ＵＲＬ入力用画面を作成し、表示制御部１２から表示部１０３に表示させる。一方、［２］ブックマークから選択が選択された場合は、キー入力検出部１１はそれを検出して表示画面作成部２１にブックマーク一覧画面を表示させる。表示画面作成部２１は、図３の（ｆ）に示すようなブックマーク一覧画面を作成し、表示部１０３に表示させる。
【００２６】
図３の（ｇ）は、ユーザにより各項目が上記のように選択または入力された結果を示す。この内容で、ユーザから登録指示が操作部１０４に入力すると、キー入力検出部１１はそれを検出し、表示画面作成部２１に登録指示を出す。表示画面作成部２１は登録指示に応じて、入力された内容をデータ記憶部２２に保存する。カテゴリ「インターネット接続」は、「ＨＰ取得予定」としてカテゴリ欄に格納する。
【００２７】
なお、カテゴリが［４］インターネット接続以外の候補、すなわち［１］スケジュール設定、［２］休日設定、［３］記念日設定のいずれかが選択された場合は従来と同様の動作であり、例えば、表示画面作成部２１は「メモ」、「日付時刻」、「アラーム通知」の入力欄を設け、入力された内容をデータ記憶部２２に保存する。
＜インターネット接続＞
次に、スケジュールアプリケーションのスケジュール機能と連動したインターネット接続動作について説明する。これは、図３（ｇ）のようにインターネット接続スケジュールが登録された場合の動作である。図５はスケジュールアプリケーションによるインターネット接続動作について説明するフローチャートであり、これを参照して説明する。図２のタイマー部１４は時計機能を有し、所定時間毎、例えば１分毎の経過を検出する。携帯端末の電源がオンの状態で待ち受け画面表示時、タイマー部１４は、例えば１分毎に経過を検出して（ステップＳ２０１）、現在時刻を動作指示部２３に通知する。動作指示部２３は現在時刻を受けるとデータ記憶部２２を読み出し、「日付時刻」が現在時刻と一致するものがあるか否かを検索する（ステップＳ２０２）。ただし、動作指示部２３は待ち受け画面以外の操作時に１分毎の経過の通知を受けると、待ち受け画面に戻るまで待機し、その後にデータ記憶部２２の検索を行う。
【００２８】
「日付時刻（例えば2006.1.30.06:30）」が現在時刻と一致するものがない場合は待ち受け画面の状態を継続する。一致するものがある場合、動作指示部２３はさらにそのデータの「カテゴリ」が「ＨＰ取得予定」であるか否かを調べる（ステップＳ２０３）。「ＨＰ取得予定」である場合、インターネット接続動作を開始する。すなわち、動作指示部２３はさらにそのデータの「接続先」を読み出して通信制御部１３に通知し、接続指示を出す。通信制御部１３は、指定された接続先に接続する（ステップＳ２０４）。
【００２９】
通知制御部１４は指定された接続先のホームページに接続し、そのホームページが提供するホームページデータ（提供データ）を受信する。通知制御部１４は受信したホームページデータをバッファ等に格納し、受信と同時に表示画面作成部２１からユーザに表示してもよい。これにより、日付時刻で指定された時刻に、接続先のホームページデータの表示を行うことができる。このとき、表示画面作成部２１は受信と同時にホームページデータの表示を行うか否かの選択を受け付けてもよい。
【００３０】
続いて、通知制御部１４は受信した提供データを動作指示部２３に供給する。動作指示部２３は、提供データを日付時刻（2006.1.30.06:30）のメインデータと関連付けてデータ記憶部２２の（ｂ）詳細データに格納する（ステップＳ２０５）。このとき、動作指示部２３はホームページを取得完了したデータの「カテゴリ」を、「ＨＰ取得済」に更新する。
【００３１】
一方、ステップＳ２０３において、読み出したデータの「カテゴリ」が「ＨＰ取得予定」以外の場合は、動作指示部２３はそのデータの「メモ」を読み出して、表示画面作成部２１に通知する。表示画面作成部２１は、受け取ったデータ、例えばスケジュール、記念日、休日の表示画面を作成し、表示制御部１２から表示部１０３に表示させる（ステップＳ２０６）。以上の動作によって、スケジュールアプリケーションは、ユーザが登録したカテゴリに応じて、インターネットへの接続またはスケジュール内容の表示を行う。
【００３２】
続いて、動作指示部２３はステップＳ２０２で読み出したデータのアラーム通知が「する」であるか否かを調べ（ステップＳ２０７）、「する」である場合は鳴動制御部１５にアラーム通知指示を出す。鳴動制御部１５は、バイブレータ１０８、ＬＥＤ１０９またはスピーカ１１０を制御してアラーム通知動作を実行させる（ステップＳ２０８）。その後、待ち受け画面に戻る。
【００３３】
ステップＳ２０５でデータ記憶部２２に保存されたホームページデータは、ユーザの指示に応じて表示できる。図３（ｈ）はホームページデータの表示画面である。図３（ａ）の画面で「ＨＰ取得済」が選択された状態で「詳細」ボタンに対応するキーが操作部１０４に入力されると、キー入力検出部１１が検出してその旨を動作指示部２３に通知する。動作指示部２３は、対応するデータの「詳細」を読み出して表示画面作成部２１に通知する。表示画面作成部２１は取得したデータの表示画面を作成して表示制御部１２から表示部１０３に表示させる。
【００３４】
以上のように、スケジュールアプリケーションにおいて、表示画面作成部２１がインターネット接続スケジュールの登録を受け付け、データ記憶部２２がそのスケジュール情報を記憶し、接続時刻になると動作指示部２３がインターネット接続先を読み出し、通信制御部１３がその接続先に接続してホームページデータを受信してデータ記憶部２２に保存するようにしたので、欲しい情報の自動配信サービスが行われていない場合でもユーザが所望する情報を指定して取得することができる効果がある。また、ユーザは電子メールアドレスをインターネット上に登録、公開しなくても上記のように所望する情報を取得できるので、電子メールアドレスの悪用を防ぐことができる効果がある。
【００３５】
また、ユーザからの指示に応じて、表示画面作成部２１は取得したホームページデータをデータ記憶部２２から読み出して画面表示するようにしたので、ユーザはスケジュールのメモ情報としてホームページを閲覧できる効果がある。さらに、ユーザが所望の時間を指定してホームページデータを受信、保存できるので、携帯端末が基地局からの電波によるサービスエリアの圏外にあるときでも、保存データを呼び出すことによって閲覧が可能となる効果がある。
【００３６】
なお、通信制御部１３がインターネット上から受信したホームページデータをデータ記憶部２２に保存しなくてもよい。すなわち、図５のステップＳＴ２０４において通信制御部１３はインターネットに接続し、ホームページデータを受信するとバッファ等に格納する。表示画面作成部２１は、受信したホームページデータを読み出して表示画面を作成し、表示制御部１２から表示部１０３に表示する。このとき、通信制御部１３はホームページデータをバッファ等からデータ記憶部２２に保存しない。つまり、データ記憶部２２は図４（ｂ）に示した詳細データを保持せず、ユーザが詳細データを後で確認する機能を持たないスケジュール機能付き携帯端末であってもよい。
【００３７】
また、上記説明した携帯端末には、例えば携帯電話があるがそれに限定されず他の携帯通信端末、パーソナルコンピュータ等の携帯情報端末でよい。また、上記実施の形態では、携帯端末のスケジュール機能にインターネット接続を連動させることを説明したが、その他にも目覚まし時計機能、ストップウォッチ機能等、スケジュール機能以外の時計管理機能にインターネット接続を連動させてもよい。
【図面の簡単な説明】
【００３８】
【図１】本発明によるスケジュール機能付き携帯端末のハードウェア構成図である。
【図２】本発明によるスケジュール機能付き携帯端末の制御部の構成およびスケジュールアプリケーションの構成を示すブロック図である。
【図３】（ａ）〜（ｈ）は、表示画面作成部が作成する表示画面を説明する図である。
【図４】データ記憶部に格納されるデータ構成を示す図であり、（ａ）はメインデータ、（ｂ）は詳細データを示す。
【図５】スケジュールアプリケーションによるインターネット接続動作について説明するフローチャートである。
【符号の説明】
【００３９】
１１  キー入力検出部
１２  表示制御部
１３  通信制御部
１４  タイマー部
１５  鳴動制御部
２１  表示画面作成部
２２  データ記憶部
２３  動作指示部
１０１    無線部
１０２    制御部
１０３    表示部
１０４    操作部
１０５    ＲＡＭ
１０６    ＲＯＭ
１０７    電源管理部
１０８    バイブレータ
１０９    ＬＥＤ
１１０    スピーカ
１１１    マイク
１１２    レシーバ
【図１】
2007004539.tif 000003
【図２】
2007004539.tif 000004
【図３】
2007004539.tif 000005
【図４】
2007004539.tif 000006
【図５】
2007004539.tif 000007